(57)【要約】【課題】上端に上方立管連結部１１を形成し、下方外周に横枝管連結部１２を設けると共に、前記上方立管連結部と横枝管連結部との間に、接続対象の排水立管ａと対応する内径の誘導管部１３を設けてなる大径の上部管１と、下方を径小として下端に下方立管連結部２１を備えると共に、内壁面に傾斜羽根板２２を備えたテーパー下部管２で構成される単管式排水システムの排水管用継手において、排水立管ａを流下する旋回流が確実になされ、単管式排水システムが有効に作用する排水管用継手の改良を提案した。【解決手段】誘導管部１３の内壁に、テーパー下部管２に設けた傾斜羽根板２２の非形成範囲の上方を含む位置に、傾斜羽根板２２と同一方向に傾斜させた旋回羽根板１３２を設ける。【選択図】図１
2009024412.tif 000002
【特許請求の範囲】
【請求項１】
上端に上方立管連結部を形成し、下方外周に横枝管連結部を設けると共に、前記上方立管連結部と横枝管連結部との間に、接続対象の排水立管と対応する内径の誘導管部を設けてなる大径の上部管と、下方を径小として下端に下方立管連結部を備えると共に、内壁面に傾斜羽根板を備えたテーパー下部管で構成される単管式排水システムの排水管用継手であって、誘導管部内壁に、テーパー下部管に設けた傾斜羽根板と同一方向に傾斜させた旋回羽根板を設けてなることを特徴とする排水管用継手。
【請求項２】
傾斜羽根板を全周の１／２以上の範囲に形成し、旋回羽根板を全周の１／２以上の範囲に形成すると共に、旋回羽根板の一部が傾斜羽根板非形成範囲の上方に設けてなる請求項１記載の排水管用継手。
【請求項３】
傾斜羽根板を２箇所に相対称に形成し、旋回羽根板を３箇所に相対称に形成すると共に、１箇所の旋回羽根板の円周方向中心が、前記傾斜羽根板の非形成範囲の円周方向中心と一致させて設けてなる請求項２記載の排水管用継手。
【請求項４】
誘導管部の下方部分の内径を開拡してなる請求項１乃至３記載の何れかの排水管用継手。
【発明の詳細な説明】
【技術分野】
【０００１】
本発明は、多層階建造物に使用する単管式排水システムにおける排水立管と排水横枝管を接合する排水管用継手に関するものである。
【背景技術】
【０００２】
多層階建造物における単管式排水システムは、排水立管内の排水落下流を管壁に添った旋回流となるようにし、管中央で通気を行なっているものである。具体的には管継手を、上方の排水立管の連結部及び排水横枝管の連結部を備える大径の上部管と、下方の排水立管の連結部を備えたテーパー下部管で構成し、テーパー下部管の内面に排水落下流を旋回流にする傾斜羽根板を備えている。
【０００３】
特に特許文献１（特開平９−３１０３８９号公報）には、前記の傾斜羽根板による旋回流発生が適確になされるように、大径上部管における上方立管連結部と横枝管連結部との間に、排水立管と同内径の誘導管部を設けると共に、誘導管部の下方内径を開拡してテーパー下部管周壁に落下流が流れ込むようにし、更に開拡部分が外周方向に拡散する落下流が排水横枝管に逆流しないように上部管内周面の横枝管連結部側方に突出部（逆流阻止部）を設けている構造が開示されている。
【０００４】
また特許文献２（特開２００１−２６９５５号公報）には、更に落下流の排水横枝管への逆流並びに排水横枝管からの排水流と落下流との直接衝突を避けるために誘導管部の下方に、落下流を分割する突起を設ける構造が提案されている。
【０００５】
【特許文献１】特開平９−３１０３８９号公報。
【特許文献２】特開２００１−２６９５５号公報。
【発明の開示】
【発明が解決しようとする課題】
【０００６】
前記従来構造において、誘導管部からの落下流が排水横枝管に逆流しないように上部管内周面の横枝管連結部側方に突出部（逆流阻止部）を設けているが、落下流が当該突出部に衝突すると、上方の排水立管からの落下流の旋回する流れが止められ、そのまま旋回せずに流下し、テーパー下部管の傾斜羽根板によって旋回流となるが、前記の傾斜羽根板は全周にわたって形成されていないので、傾斜羽根板に触れない落下流は直下流となり、落下速度の増加に伴なって管壁から離れ、管中心部を落下し、通気上昇流の抵抗となる。
【０００７】
また途中で落下旋回流に巻き込まれたとしても、旋回流の旋回作用の抵抗となってしまい、効率的な旋回落下流が実現し難い結果となる。
【０００８】
特許文献２記載の従来構造にあっては、誘導管部からの落下流は、突起によって分割されるので、分割流の一方は旋回流の旋回方向となるが、他方の分割流は旋回方向と逆方向に落下することになり、テーパー下部管の旋回羽根板に対面して衝突することになり、落下流の旋回を阻止する作用が働く。
【０００９】
このように従前の継手においては、排水横枝管を連結する継手箇所で立管全体を流下する旋回流が弱められる構造となっており、排水立管中心を空気通路とする単管式排水システムとしては不充分であるといえる。
【００１０】
そこで本発明は、排水立管を流下する旋回流が適切になされ、前記単管式排水システムが有効に働く新規な排水管用継手を提案したものである。
【課題を解決するための手段】
【００１１】
本発明（請求項１）に係る排水管用継手は、上端に上方立管連結部を形成し、下方外周に横枝管連結部を設けると共に、前記上方立管連結部と横枝管連結部との間に、接続対象の排水立管と対応する内径の誘導管部を設けてなる大径の上部管と、下方を径小として下端に下方立管連結部を備えると共に、内壁面に傾斜羽根板を備えたテーパー下部管で構成される単管式排水システムの排水管用継手であって、誘導管部内壁に、テーパー下部管に設けた傾斜羽根板と同一方向に傾斜させた旋回羽根板を設けてなることを特徴とするものである。
【００１２】
而して前記継手は、上方立管連結部と下方立管連結部に建造物に配設される排水立管を連結し、更に排水横枝管も連結して多層階建造物の単管式排水システムを構築するのに使用されるものである。同システムにあっては、排水立管から継手内に流下する排水は、上層階における管継手のテーパー下部管の傾斜羽根板によって旋回流となって侵入する。そして当該階層の排水は排水横枝管から継手内に侵入し落下する。
【００１３】
特に本発明は、誘導管部の内壁に旋回羽根板を設けているものであるから、継手内に旋回しながら流下した排水は、更に確実な旋回流となり、相応の指向性を有してテーパー下部管に至り、傾斜羽根板で更に旋回流となり相応の指向性を備えることになり、排水横枝管への逆流が生じ難く、また排水横枝管からの当該階層の排水は、強い旋回流に巻き込まれることになるので、上層階から下層階に流下する排水は確実に旋回流となり、単管式排水システムが効率的になされるものである。
【００１４】
また本発明（請求項２，３）に係る排水管用継手は、上記継手において、傾斜羽根板を全周の１／２以上の範囲に形成し、旋回羽根板を全周の１／２以上の範囲に形成すると共に、旋回羽根板の一部が傾斜羽根板非形成範囲の上方に設けてなり、特に傾斜羽根板を２箇所に相対称に形成し、旋回羽根板を３箇所に相対称に形成すると共に、１箇所の旋回羽根板の円周方向中心が、前記傾斜羽根板の非形成範囲の円周方向中心と一致させて設けてなるものである。
【００１５】
従って、自然流下の排水を羽根で旋回させた場合には、落下流は旋回するが、相応の落下スピードを以って羽根による方向変換がなされなければスムーズな旋回落下流になり難い（羽根の傾斜角度を大きくすると排水の落下速度を落すことになりスムーズな排水がなされない）。このため傾斜羽根板による旋回付与がなされない場合があるが、旋回羽根板を傾斜羽根板の非形成範囲の上方に配置することで、旋回羽根板による旋回流の助長がなされない落下流または旋回流となっていない落下流は、傾斜羽根板で旋回付与されることになり、排水落下流により確実に旋回付与がなされることになる。
【発明の効果】
【００１６】
本発明の構成は上記のとおりであり、旋回落下流若しくは非旋回落下流で継手内に排出された排水は、誘導管部の旋回羽根板で旋回作用が付与され、更に下方の傾斜羽根板でも旋回作用が付与される結果、排水落下流の旋回作用がより確実に実現すると共に、排水横枝管からの当該階層の排水も、この旋回流に巻き込まれることになり、システム全体の排水がよりスムーズになされるものである。
【発明を実施するための最良の形態】
【００１７】
次に本発明の実施形態について説明する。実施形態に示した排水管用継手は、大径の上部管１と、前記大径から所定の径（立管対応径）まで絞り込んだテーパー下部管２とで構成されているもので、前記上下部管１，２は、以下の所定の内部構造及び外部構造を一体成形或いは部品組み込みで形成した後に継手全体を形成するようにしても良いし、上下部管１，２の本体部分を一体成形で製出した後、内部構造及び外部構造を構成する部品を組み込むようにしても良く、上下部管１，２は、下記の構造を備えていれば良いものであり、またその材質も樹脂製（一般には塩ビ製）でも金属製（一般には鋳造物）でも良い。更に全体を繊維入りモルタル等の不燃材で被覆しても良い。
【００１８】
上部管１は、単管式排水システムに採用される排水立管ａよりも大径であって、上端に上方立管連結部１１を備え、下方外周に横枝管連結部１２を設けると共に、前記上方立管連結部１１と横枝管連結部１２との間の内部に、誘導管部１３を設けたものである。
【００１９】
上方立管連結部１１は、筒状シール体１１１と前記筒状シール体１１１の抜け止めとするリング蓋１１２で形成されるもので、筒状シール体１１１は、多段シール部を備えた既存のもので、上部管の上方開口から差し入れて誘導管部１３の上鍔１３１上に載置するようにして前記上方開口箇所に嵌合装着し、リング蓋１１２を装着して組み込まれるものである。
【００２０】
横枝管連結部１２は、上部管１の下方外周に突設したもので、排水横枝管ｂの差し込み受け口に形成したものである。
【００２１】
誘導管部１３は、排水立管ａと対応する内径（排水立管ａは外径が一致しても管厚が相違して内径が異なる場合があるが、略同一内径とする）であり、下端は横枝管連結部１２の開口上端と約一致させたもので、内周面に旋回羽根板１３２を設け、下方部分に下方内径が順じ開拡する拡径部１３３を設けてなり、特に旋回羽根板１３２は、三枚を全周の１／２以上の範囲に相対称に設けたものである。
【００２２】
テーパー下部管２は、従前の継手に採用されているものと同様の構成で、下端に下方立管連結部２１を備えて、大径の上部管１から前記の下方立管連結部２１までのテーパー状管とし、内壁面に傾斜羽根板２２を備えたものである。
【００２３】
傾斜羽根板２２は、旋回羽根板１３２と同一の旋回方向に傾斜したもので、二枚の羽根板を全周の１／２以上の範囲に形成し、旋回羽根板１３２の一枚の円周方向中心が、傾斜羽根板２２の非形成範囲の円周方向中心と一致する位置に、傾斜羽根板２２を設けたものである。
【００２４】
而して前記の排水管用継手は、多層階建造物の各階層を上下貫通設置される排水立管ａと、各階層の排水横枝管ｂを接続して単管式排水システムを構築するもので、各階層の排水横枝管ｂからの排水を排水立管ａに集めて建造物外に排出するものである。
【００２５】
前記の排水に際して、従前の継手と同様にテーパー下部管２の傾斜羽根板２２によって排水が旋回流となり、排水立管ａの周壁に添っての流下となり、排水立管ａの中心が空気通路となり排水がスムーズになされる。
【００２６】
特に排水立管ａの落下流に非旋回流が生じていた場合に、誘導管部１３で旋回流とされるし、拡径部１３３で外周方向に落下流も外周方向に広がり、テーパー下部管２の周壁に達しやすくなり、傾斜羽根板２２による旋回流発生がなされるように、継手内での旋回流発生を旋回羽根板１３２と傾斜羽根板２２の二段でなされる結果、排水落下流を確実に旋回流とするものである。
【図面の簡単な説明】
【００２７】
【図１】本発明の実施形態断面図（傾斜羽根正面方向から）。
【図２】同図（傾斜羽根側面方向から）。
【図３】同平面断面図。
【図４】同上部管の分解斜視図。
【符号の説明】
【００２８】
１        上部管
１１      上方立管連結部
１１１    筒状シール体
１１２    リング蓋
１２      横枝管連結部
１３      誘導管部
１３１    上鍔
１３２    旋回羽根板
１３３    拡径部
２        テーパー下部管
２１      下方立管連結部
２２      傾斜羽根板
【図１】
2009024412.tif 000003
【図２】
2009024412.tif 000004
【図３】
2009024412.tif 000005
【図４】
2009024412.tif 000006